(57)【特許請求の範囲】
【請求項１】
１枚のフレーム画像を第１のフィールド情報と、第２のフィールド情報とに分割して出力する撮像部と、
前記撮像部から出力される前記第１及び第２のフィールド情報が格納されるメモリから前記第１及び第２のフィールド情報を夫々独立して読み出した後に加算処理をして前記第１のフィールド情報又は前記第２のフィールド情報と同一ライン数の画像情報を形成するに際し、前記第１のフィールド情報における偶数ライン信号と前記第２のフィールド情報における前記偶数ライン信号に隣接する奇数ライン信号とをα：βの割合で加算して出力する第１の加算モードと、前記偶数ライン信号と前記奇数ライン信号とをβ：αの割合で加算して出力する第２の加算モードとをフィールド単位で切り換えて前記画像情報を形成する加算処理部とを備え、
前記α及びβの値をユーザの設定に応じて適宜変更可能にしたことを特徴とする画像出力装置。
【請求項２】
前記撮像部が出力する前記第１のフィールド情報と前記第２のフィールド情報との飽和状態を検出する飽和検出手段を備え、
前記飽和検出手段における検出結果に応じて、前記偶数ライン信号と前記奇数ライン信号との加算比率を変更するようにしたことを特徴とする請求項１記載の画像出力装置。
【請求項３】
前記加算処理部は、前記偶数ライン信号と前記奇数ライン信号とを加算処理せずに、前記偶数ライン情報と前記奇数ライン情報とをフィールド単位で切り換えて前記画像情報を形成する非加算モードを備えることを特徴とする請求項１記載の画像出力装置。
【請求項４】
撮像部にて撮像した１枚のフレーム画像を第１のフィールド情報と、第２のフィールド情報とに分割して出力する撮像情報出力ステップと、前記撮像情報出力ステップにて出力される前記第１及び第２のフィールド情報が格納されるメモリから前記第１及び第２のフィールド情報を夫々独立して読み出した後に加算処理をして前記第１のフィールド情報又は前記第２のフィールド情報と同一ライン数の画像情報を形成するに際し、前記第１のフィールド情報における偶数ライン信号と前記第２のフィールド情報における前記偶数ライン信号に隣接する奇数ライン信号とをα：βの割合で加算して出力する第１の加算モードと、前記偶数ライン信号と前記奇数ライン信号とをβ：αの割合で加算して出力する第２の加算モードとをフィールド単位で切り換えて前記画像情報を形成する加算処理ステップとからなる画像出力プログラムを記憶した記憶媒体。
【発明の詳細な説明】
【０００１】
【発明の属する技術分野】
本発明は、例えばビデオカメラ装置、カメラ装置、コンピュータ装置の画像処理系等に設けて好適な画像出力装置及び画像出力プログラムを記憶した記憶媒体に関する。
【０００２】
【従来の技術】
今日において、所望の被写体を撮像することにより得られた撮像信号を、デジタル化してビデオカセットテープに記録するデジタルビデオカメラ装置が知られている。
【０００３】
このデジタルビデオカメラ装置は、ＣＣＤイメージセンサで撮像光を取り込み、この撮像光の光量に応じたアナログの撮像信号を形成する。この撮像信号は、適当な利得で増幅されてデジタル化された後、ガンマ補正処理が施されて輪郭補償回路に供給される。輪郭補償回路は、固定値とされた輪郭補償係数を用いて撮像データの特定周波数を強調した輪郭補償データを形成し、これを元の撮像データと加算処理することで該撮像データに輪郭補償処理を施し、これを電子ズーム回路に供給する。
【０００４】
電子ズーム回路は、ユーザにより指定された倍率となるように、輪郭補償処理の施された撮像データに対して例えばライン補間処理等を施して被写体像を電気的に拡大処理して出力する。この電子ズーム処理が施された撮像データは、一旦、フレームメモリに記憶され、画像出力回路により記録レートに応じて１フィールド毎に読み出される。そして、所定のビデオプロセス処理が施され、ビデオカセットテープに記録される。
【０００５】
【発明が解決しようとする課題】
しかし、従来のデジタルビデオカメラ装置は、フレームメモリに一旦記憶された画像データを画像出力回路がそのまま１フィールド毎に分割して読み出して記録するようにしていたため、このフレームメモリからの出力段階では、何ら撮像データを処理することができず、画質の改善を図ることができない問題があった。撮像データの特性は、例えば撮像条件や撮像モード等毎に異なるものであり、これらに応じて出力（記録）する撮像データの特性を可変可能なデジタルビデオカメラ装置の開発が望まれている。
【０００６】
本発明は上述の課題に鑑みてなされたものであり、例えば撮像条件や撮像モード等毎に出力する画像情報の特性を可変可能な画像出力装置及び画像出力プログラムを記憶した記憶媒体の提供を目的とする。
【０００７】
【課題を解決するための手段】
本発明に係る画像出力装置及び画像出力プログラムを記憶した記憶媒体は、上述の課題を解決するために以下の特徴的な装置の構成及び画像出力プログラムのステップを有する。
【０００８】
すなわち、本発明に係る画像出力装置は、上述の課題を解決するために、１枚のフレーム画像を第１のフィールド情報と、第２のフィールド情報とに分割して出力する撮像部と、前記撮像部から出力される前記第１及び第２のフィールド情報が格納されるメモリから前記第１及び第２のフィールド情報を夫々独立して読み出した後に加算処理をして前記第１のフィールド情報又は前記第２のフィールド情報と同一ライン数の画像情報を形成するに際し、前記第１のフィールド情報における偶数ライン信号と前記第２のフィールド情報における前記偶数ライン信号に隣接する奇数ライン信号とをα：βの割合で加算して出力する第１の加算モードと、前記偶数ライン信号と前記奇数ライン信号とをβ：αの割合で加算して出力する第２の加算モードとをフィールド単位で切り換えて前記画像情報を形成する加算処理部とを備え、前記α及びβの値をユーザの設定に応じて適宜変更可能にしたことを特徴とする。
【０００９】
また、上記した本発明に係る画像出力装置において、前記撮像部が出力する前記第１のフィールド情報と前記第２のフィールド情報との飽和状態を検出する飽和検出手段を備え、前記飽和検出手段における検出結果に応じて、前記偶数ライン信号と前記奇数ライン信号との加算比率を変更するようにしたことを特徴とする。
【００１０】
また、上記した本発明に係る画像出力装置において、前記加算処理部は、前記偶数ライン信号と前記奇数ライン信号とを加算処理せずに、前記偶数ライン情報と前記奇数ライン情報とをフィールド単位で切り換えて前記画像情報を形成する非加算モードを備えることを特徴とする。
【００１１】
また、本発明に係る画像出力プログラムを記憶した記憶媒体は、上述の課題を解決するために、撮像部にて撮像した１枚のフレーム画像を第１のフィールド情報と、第２のフィールド情報とに分割して出力する撮像情報出力ステップと、前記撮像情報出力ステップにて出力される前記第１及び第２のフィールド情報が格納されるメモリから前記第１及び第２のフィールド情報を夫々独立して読み出した後に加算処理をして前記第１のフィールド情報又は前記第２のフィールド情報と同一ライン数の画像情報を形成するに際し、前記第１のフィールド情報における偶数ライン信号と前記第２のフィールド情報における前記偶数ライン信号に隣接する奇数ライン信号とをα：βの割合で加算して出力する第１の加算モードと、前記偶数ライン信号と前記奇数ライン信号とをβ：αの割合で加算して出力する第２の加算モードとをフィールド単位で切り換えて前記画像情報を形成する加算処理ステップとからなる画像出力プログラムを記憶したことを特徴とする。
【００１２】
本発明に係る画像出力装置及び画像出力プログラムを記憶した記憶媒体は、上記のような特徴的な装置の構成及び画像出力プログラムのステップを有することで、場合に応じた最適な割合で各画像情報を加算処理することができ、周波数特性の向上、Ｓ／Ｎ比の向上を通じて画質の改善を図るようになっている。
【００１３】
【発明の実施の形態】
以下、本発明に係る画像出力装置及び画像出力プログラムを記憶した記憶媒体の好ましい実施の形態について、図面を参照しながら詳細に説明する。
【００１４】
本発明に係る画像出力装置及び画像出力プログラムを記憶した記憶媒体は、デジタルビデオカメラ装置に適用することができる。このデジタルビデオカメラ装置は、ＣＣＤイメージセンサにおいて取り込んだ撮像光に基づいて、デジタル的な電気信号である撮像データを形成し、この撮像データを、いわゆるデジタルビデオカセットテープに記録するようになっている。
【００１５】
このようなデジタルビデオカメラ装置の撮像系は、図１に示すように構成されており、被写体の撮像を行いこの撮像光に応じた撮像信号を出力する撮像部１と、撮像部１からの撮像信号を所定の利得で増幅して出力する自動利得制御回路２（ＡＧＣ回路）と、ＡＧＣ回路２からのアナログ信号である撮像信号をデジタルデータである撮像データに変換して出力するＡ／Ｄ変換器３と、Ａ／Ｄ変換器３からの撮像データから高周波ノイズ成分を除去するローパスフィルタ４（ＬＰＦ）と、ＬＰＦ４を介した撮像データに対してガンマ補正処理を施すガンマ補正回路５とを有している。
【００１６】
また、この撮像系は、ガンマ補正回路５からの撮像データの所定の周波数帯域に対して輪郭補償処理を施すための輪郭補償データを形成して出力する輪郭補償回路６と、この輪郭補償回路６からの輪郭補償データを、ガンマ補正回路５からの撮像データ（元の撮像データ）に加算処理することで、該撮像データの所定の周波数帯域に対して輪郭補償処理を施す加算器７と、この加算器７を介して供給される撮像データをメモリ８に一旦記憶制御すると共に、メモリ８から読み出された撮像データに基づいて、電気的な画像の拡大或いは縮小処理（電子ズーム）を施す電子ズーム回路９と、電子ズーム回路９からのフレーム形態の撮像データをフィールド形態の撮像データに変換し、これを出力端子１１を介して出力するフレーム／フィールド変換回路１０とを有している。後に説明するが、当該実施の形態のデジタルビデオカメラ装置においては、輪郭補償回路６が、電子ズーム回路９の前段に設けられていることが一つの特徴となっている。
【００１７】
また、この撮像系は、撮像部１の光学ズーム及び電子ズーム回路９の電子ズームにおけるズーム倍率を検出するズーム倍率検出回路１２と、撮像モードを検出する撮像モード検出回路１３と、輪郭補償処理を施す周波数帯域のユーザによる選択を可能とするための補償周波数帯域選択回路１４と、撮像部１に設けられているＣＣＤイメージセンサの飽和レベルに基づいて、該撮像部１から出力された撮像信号の飽和の有無を検出する飽和検出回路１５と、フレーム／フィールド変換回路１０の撮像信号の出力形態のユーザによる選択を可能とするための変換特性選択回路１６とを有している。
【００１８】
また、この撮像系は、当該デジタルビデオカメラ装置全体のシステム制御を行うと共に、特に、ズーム倍率検出回路１２、撮像モード検出回路１３及び補償周波数帯域選択回路１４からの各検出出力或いは選択出力に基づいて、撮像信号の所定の周波数帯域に対して輪郭補償処理を施し、撮像モード検出回路１３、飽和検出回路１５及び変換特性選択回路１６からの各検出出力或いは選択出力に基づいて、フレーム／フィールド変換回路１０から出力される撮像データの出力形態を制御する制御回路１７を有している。
【００１９】
本発明に係る画像出力装置及び画像出力プログラムを記憶した記憶媒体は、主にこのようなデジタルビデオカメラ装置のフレーム／フィールド変換回路１０に適用されている。フレーム／フィールド変換回路１０は、説明の都合上、図１には一つのブロックとして示しているのであるが、実際の画像出力動作はソフトウエア的に実行される（勿論、ハードウエア的に実行してもよい。）。このため、本発明は、制御回路１７内或いは制御回路１７外の記憶媒体（ＲＯＭ、ＲＡＭ、ＨＤＤ等）に記憶された画像出力プログラムを、該制御回路１７が実行することで実施されるようになっている。従って、例えばインターネット等を通じて当該画像出力プログラムをコンピュータ装置に取り込んで実行し、或いはＲＯＭディスクに記憶された当該画像出力プログラムをコンピュータ装置のＨＤＤ等にダウンロードして実行する等の行為は、全て本発明の範疇にあるものと理解されたい。
【００２０】
次に、前記撮像部１には、例えばＣＣＤイメージセンサが設けられており、これにより撮像光の取り込みを行うようになっている。なお、このような撮像手段としては、ＣＣＤイメージセンサの代わりに撮像管を設け、これにより撮像光の取り込みを行うようにしてもよい。また、この撮像部１に設けられているＣＣＤイメージセンサとしては、偶数フィールド及び奇数フィールドの各フィールド毎の撮像信号をそれぞれ読み出して出力するフィールド読み出し型のＣＣＤイメージセンサの他、１フレーム分の撮像信号を一度に読み出し、この１フレーム分の撮像信号を各フィールドの撮像信号に分割して出力するフレーム読み出し型のＣＣＤイメージセンサ等を設けることができる。
【００２１】
後に説明するが、このデジタルビデオカメラ装置においては、輝度データ（Ｙデータ）に対して輪郭補償処理を施すようになっている。図１に示す撮像部１〜フレーム／フィールド変換回路１０までのデータ処理ラインは、輝度データ及び色データ（色差データＣｒ、Ｃｂ）からなる撮像データのうち輝度データのデータ処理ラインのみ示しているのであるが、前記フィールド読み出し型のＣＣＤイメージセンサを設けた場合には、各フィールドの輝度データがそれぞれ出力されるため、このデータ処理ラインはそれぞれ各フィールド用に２系統存在し（偶数フィールド用のデータ処理ラインと、奇数フィールド用のデータ処理ラインとの計２系統の意。）、前記フレーム読み出し型のＣＣＤイメージセンサを設けた場合には、フレームから分割された各フィールドの輝度データが順番に出力されるようになるため、このデータ処理ラインは図１に示すとおり１系統存在するものと理解されたい。
【００２２】
なお、輝度データに対して輪郭補償処理を施すこととして説明を進めるが、これは、色データに対して輪郭補償処理を施すようにしてもよい。この場合でも、後に説明する輪郭補償回路６の動作がそのまま適用され、色データ用の輪郭補償係数により色データの所定の周波数帯域に対して輪郭補償処理が施される。
【００２３】
また、撮像部１には、光学的なズーム機能（光学ズーム）が設けられており、ユーザの操作に応じて所望の倍率に被写体像を拡大或いは縮小するようになっている。この光学ズームと前記電子ズームとは、所定の倍率で切り換えられるようになっており、具体的には、例えば１倍〜２０倍の範囲で被写体像を光学的に拡大し、２０倍以上に拡大する際には、光学ズームから電子ズームへの切り換えを行い、光学的に２０倍に拡大された被写体像を電気的に４倍まで拡大するようになっている。従って、光学ズーム及び電子ズームを合わせて計８０倍までの被写体像の拡大が可能となっている。このような構成は一例であるため、設計等に応じて所望の値（倍率）に設定すればよいことは勿論である。
【００２４】
次に、このような構成を有する当該実施の形態のデジタルビデオカメラ装置の動作説明をする。
【００２５】
まず、所望の被写体の撮像が開始されると、撮像部１は、被写体の撮像光をＣＣＤイメージセンサで受光し、この受光した撮像光の光量に応じたアナログ的な撮像信号を形成する。なお、この撮像する被写体像のズーム倍率は、撮像部１に設けられている光学ズーム機能により、ユーザの操作に応じて光学的に可変可能となっている。
【００２６】
この撮像部１からの撮像信号は、ＡＧＣ回路２により所定の利得で増幅され、Ａ／Ｄ変換器３によりデジタル化されると共に、ＬＰＦ回路４により高周波ノイズ成分が除去されると共に、ガンマ補正回路５によりガンマ補正処理が施されて輪郭補償回路６及び加算器７に供給され、加算器７により輪郭補償回路６からの輪郭補償データが加算処理されることで所定の周波数帯域に対して輪郭補償処理が施される。そして、メモリ８にフレーム単位で書き込み制御され、ユーザの操作に応じて電子ズーム回路９によりライン補間処理等による被写体像の電気的な拡大処理が施され、フレーム／フィールド変換回路１０により出力端子１１を介して各フィールド毎に出力される。この出力端子１１を介して出力された撮像データは、所定のビデオプロセス処理が施されて記録系に供給され、例えばデジタルビデオカセットテープ等の記録媒体にデジタル記録される。
【００２７】
ここで、輪郭補償回路６は図２に示すような構成を有している。前述のように図１に示す撮像部１〜フレーム／フィールド変換回路１０までのデータ処理ラインは撮像データのデータ処理ラインを示しており、ガンマ補正回路５からの輝度データは、この図２に示す入力端子２１に供給される。
【００２８】
当該実施の形態のデジタルビデオカメラ装置においては、電子ズーム回路９の前段に一括して輪郭補償回路６を設けることで、水平方向及び垂直方向の輪郭補償処理を一括して行うようになっている。このため、この輪郭補償回路６には、制御回路１７の制御により、水平方向及び垂直方向の輝度データが各輪郭補償処理に応じて供給されることとなる。
【００２９】
このように電子ズーム回路９の前段に一括して輪郭補償回路６を設けることにより、水平方向及び垂直方向の輪郭補償処理を一括して可能とすることができるため、水平方向用及び垂直方向用のメモリを共通化（兼用）することができ、構成の簡略化を図ることができる。
【００３０】
なお、この例においては、電子ズーム回路９の前段に輪郭補償回路６を一括して設けることとしたが、これは、例えば水平方向の輪郭補償用の輪郭補償回路を電子ズーム回路９の前段に設け、垂直方向の輪郭補償用の輪郭補償回路を電子ズーム回路９の後段に設ける等にように、電子ズーム回路９の前段及び後段に分割して設けるようにしてもよい。
【００３１】
次に、入力端子２１を介して供給された輝度データは、第１の遅延回路２２ａ及び第５の乗算器２４ｅに供給される。第１〜第４の遅延回路２２ａ〜２２ｄはそれぞれ直列的に接続されており、供給される輝度データに対して例えば１水平ライン分の遅延処理を施して出力する。第１の遅延回路２２ａから出力された輝度データは第４の乗算器２４ｄに、第２の遅延回路２２ｂから出力された輝度データは第３の乗算器２４ｃに、第３の遅延回路２２ｃから出力された輝度データは第２の乗算器２４ｂに、第４の遅延回路２２ｄから出力された輝度データは第１の乗算器２４ａにそれぞれ供給される。
【００３２】
各乗算器２４ａ〜２４ｅには、前記各輝度データの他、第１〜第５の入力端子２３ａ〜２３ｅを介して制御回路１７からの輪郭補償係数データが供給されている。この輪郭補償係数データとしては、前記撮像部１の光学ズーム、電子ズーム回路９の電子ズームにおけるズーム倍率や、撮像モード、或いはユーザの選択により、輝度データの所定の周波数帯域に対して輪郭補償処理を可能とする値が予め検出され、これらがテーブル化されて制御回路１７に記憶されている。制御回路１７は、前記ズーム倍率、撮像モード、或いはユーザの選択に応じて、この係数テーブルから所定の輪郭補償係数データを読み出し、これを各乗算器２４ａ〜２４ｅに供給する。
【００３３】
具体的には、光学ズーム及び電子ズームにおけるズーム倍率は、図１に示すズーム倍率検出回路１２で検出される。ズーム倍率検出回路１２は、例えば当該デジタルビデオカメラ装置に設けられている撮像倍率可変キーの操作時間等に応じてズーム倍率を検出するようになっており、ズーム倍率を検出するとこの検出出力を制御回路１７に供給する。制御回路１７は、このズーム倍率の検出出力に応じて前記係数テーブルから所定の輪郭補償係数データを読み出し、これを各乗算器２４ａ〜２４ｅに供給する。
【００３４】
さらに具体的に、電子ズームのズーム倍率を例として説明すると、該ズーム倍率が１倍〜２倍の場合は、図３（ａ）に示すように低域から中域までリニアに伸び、中域から高域にかけて略フラットな周波数特性に対応する輪郭補償係数データが用いられる。この場合、例えば「０．５」の値が第１の輪郭補償係数データＫ１として第３の入力端子２３ｃを介して第３の乗算器２４ｃに供給され、「−０．１６６」の値が第２の輪郭補償係数データＫ２として第２，第４の入力端子２３ｂ，２３ｄを介して第２，第４の乗算器２４ｂ，２４ｄに供給され、「−０．０８３」の値が第３の輪郭補償係数データＫ３として第１，第５の入力端子２３ａ，２３ｅを介して第１，第５の乗算器２４ａ，２４ｅに供給される。
【００３５】
また、電子ズームのズーム倍率が２倍〜３倍の場合は、図３（ｂ）に示すように低域から中域までリニアに伸び、中域から高域にかけて徐々にレベルダウンするような周波数特性に対応する輪郭補償係数データが用いられる。この場合、例えば「０．５」の値が第１の輪郭補償係数データＫ１として第３の入力端子２３ｃを介して第３の乗算器２４ｃに供給され、「−０．０８３」の値が第２の輪郭補償係数データＫ２として第２，第４の入力端子２３ｂ，２３ｄを介して第２，第４の乗算器２４ｂ，２４ｄに供給され、「−０．１６６」の値が第３の輪郭補償係数データＫ３として第１，第５の入力端子２３ａ，２３ｅを介して第１，第５の乗算器２４ａ，２４ｅに供給される。
【００３６】
また、電子ズームのズーム倍率が３倍〜４倍の場合は、図３（ｃ）に示すように低域から中域までリニアに伸び、中域から高域にかけてリニアにレベルダウンするような２次曲線的な周波数特性に対応する輪郭補償係数データが用いられる。この場合、例えば「０．５」の値が第１の輪郭補償係数データＫ１として第３の入力端子２３ｃを介して第３の乗算器２４ｃに供給され、「±０」の値が第２の輪郭補償係数データＫ２として第２，第４の入力端子２３ｂ，２３ｄを介して第２，第４の乗算器２４ｂ，２４ｄに供給され、「−０．２５」の値が第３の輪郭補償係数データＫ３として第１，第５の入力端子２３ａ，２３ｅを介して第１，第５の乗算器２４ａ，２４ｅに供給される。
【００３７】
また、ユーザにより選択される撮像モードは、図１に示す撮像モード検出回路１３で検出される。撮像モード検出回路１３は、例えば当該デジタルビデオカメラ装置に設けられている撮像モード選択キーの操作状態等により撮像モードを検出するようになっており、撮像モードを検出するとこの検出出力を制御回路１７に供給する。制御回路１７は、この撮像モードの検出出力に応じて前記係数テーブルから所定の輪郭補償係数データを読み出し、これを各乗算器２４ａ〜２４ｅに供給する。
【００３８】
例えば、複数の撮像モードの中から高解像度モードが選択されている場合、図４に示すように低域から高域まで略リニアに伸びる周波数特性に対応する輪郭補償係数データが用いられる。この場合、例えば「０．５」の値が第１の輪郭補償係数データＫ１として第３の入力端子２３ｃを介して第３の乗算器２４ｃに供給され、「−０．２５」の値が第２の輪郭補償係数データＫ２として第２，第４の入力端子２３ｂ，２３ｄを介して第２，第４の乗算器２４ｂ，２４ｄに供給され、「±０」の値が第３の輪郭補償係数データＫ３として第１，第５の入力端子２３ａ，２３ｅを介して第１，第５の乗算器２４ａ，２４ｅに供給される。
【００３９】
また、ユーザにより選択される輪郭補償処理を施す周波数帯域は、図１に示す補償周波数帯域選択回路１４で検出される。補償周波数帯域選択回路１４は、当該デジタルビデオカメラ装置に、例えば「低域、中域、高域」等のように輪郭補償処理を施す周波数帯域を選択するためのキーの操作状態等により、ユーザにより選択された周波数帯域を検出するようになっており、該周波数帯域を検出するとこの検出出力を制御回路１７に供給する。制御回路１７は、この周波数帯域の検出出力に応じて前述と同様に前記係数テーブルから所定の輪郭補償係数データを読み出し、これを各乗算器２４ａ〜２４ｅに供給する。
【００４０】
このような輪郭補償係数データは、本件出願人が、どの周波数帯域にどの程度の輪郭補償処理を施せば良好な表示画像が得られるかを試作実験を重ねることで得た値となっている。また、表示画像の善し悪しは、各自好みの問題もあり一義的に決まるものではない。このため、当該デジタルビデオカメラ装置は、各自好みの画像を得られるように、輪郭補償処理を施す周波数帯域をユーザが選択可能となっている。
【００４１】
さらに、電子ズームにより被写体像を拡大すると、いわゆる折り返しノイズが発生するため、これを防止するために電子ズーム回路９の前段にローパスフィルタを必要とするのであるが、前記輪郭補償係数データは、この発生した折り返しノイズを低減可能な値となっている。ローパスフィルタは、多くのタップを必要とするため、これを設けると構成が複雑化するのであるが、当該デジタルビデオカメラ装置においては、前記輪郭補償係数データが、電子ズームにより発生した折り返しノイズを低減可能な値となっているため、ローパスフィルタを不要とすることができ、構成の簡略化を図ることができる。
【００４２】
第１の乗算器２４ａは、第４の遅延回路２２ｄから供給される輝度データと第１の入力端子２３ａを介して供給される第３の輪郭補償係数データＫ３とを乗算処理し、これを第１の加算器２５ａに供給する。第２の乗算器２４ｂは、第３の遅延回路２２ｃから供給される輝度データと第２の入力端子２３ｂを介して供給される第２の輪郭補償係数データＫ２とを乗算処理し、これを第１の加算器２５ａに供給する。第１の加算器２５ａは、第１の乗算器２４ａからの乗算出力と、第２の乗算器２４ｂからの乗算出力とを加算処理し、これを第３の加算器２５ｃに供給する。
【００４３】
同様に、第３の乗算器２４ｃは、第２の遅延回路２２ｂから供給される輝度データと第３の入力端子２３ｃを介して供給される第１の輪郭補償係数データＫ１とを乗算処理し、これを減算器２６に供給する。
【００４４】
また、第４の乗算器２４ｄは、第１の遅延回路２２ａから供給される輝度データと第４の入力端子２３ｄを介して供給される第２の輪郭補償係数データＫ２とを乗算処理し、これを第２の加算器２５ｂに供給し、第５の乗算器２４ｅは、入力端子２１から直接供給される輝度データと第５の入力端子２３ｅを介して供給される第３の輪郭補償係数データＫ３とを乗算処理し、これを第２の加算器２５ｂに供給する。第２の加算器２５ｂは、第４の乗算器２４ｄからの乗算出力と、第５の乗算器２４ｅからの乗算出力とを加算処理し、これを第３の加算器２５ｃに供給する。
【００４５】
第３の加算器２５ｃは、第１、第２の加算器２５ａ、２５ｂからの各加算出力をそれぞれ加算処理し、これを減算器２６に供給する。減算器２６は、第３の乗算器２４ｃからの乗算出力から、第３の加算器２５ｃからの加算出力を減算処理し、この減算出力を輪郭補償データとして出力端子２７を介して図１に示す加算器７に供給する。
【００４６】
加算器７は、ガンマ補正回路５から供給される輝度データと、輪郭補償回路６からの輪郭補償データとを加算処理することにより、前記ズーム倍率或いは撮像モード等に応じて、その輝度データの所定の周波数帯域に対して輪郭補償処理を施し、これをメモリ８に供給する。メモリ８は、フィールド単位で供給される前記輝度データをフレーム単位で一旦記憶し、このフレーム単位の輝度データを電子ズーム回路９を介してフレーム／フィールド変換回路１０に供給する。後に詳しく説明するが、フレーム／フィールド変換回路１０は、フレーム単位で供給される輝度データを各フィールド毎の輝度データに変換し、これを出力端子１１を介して前記記録系に供給する。
【００４７】
このように、当該デジタルビデオカメラ装置は、ズーム倍率、撮像モード或いはユーザの選択に応じて画像情報の周波数帯域に対して輪郭補償処理を施す。これにより、ユーザの操作に応じた最適な輪郭補償処理を可能とすることができる。従って、高倍率の電子ズームを行った際に問題となっていた、Ｓ／Ｎ比の劣化及び周波数特性の劣化を防止することができる。
【００４８】
具体的には、例えば電子ズームを用いて無限遠被写体距離（縮小：ワイド側）による撮像を行った場合、その表示画像に高周波成分が増加することが一般的に知られているのであるが、この場合は、図３（ａ）に示すような周波数特性を有する輪郭補償係数データを用い、５．４ＭＨｚ〜６．７５ＭＨｚの高周波領域を強調することにより表示画像の高周波成分を強調することができ、より良好な表示画像を得ることができる。また、この逆に、電子ズームを用いて至近被写体距離（拡大：テレ側）による撮像を行った場合、その表示画像に高周波成分が減少することが一般的に知られているのであるが、この場合は、図３（ｂ）に示すような周波数特性を有する輪郭補償係数データを用い、２．７ＭＨｚ〜５．０５ＭＨｚの中域を強調することにより、人物の拡大等の際に顔の表面がなだらかに見えるようにすることができ、より良好な表示画像を得ることができる。
【００４９】
また、当該デジタルビデオカメラ装置は、輪郭補償処理に用いられる輪郭補償係数データが、電子ズーム時の折り返しノイズを低減可能な値となっているため、電子ズームにより画質が劣化する不都合を防止することができるうえ、電子ズーム回路９の前段に必要としていたローパスフィルタを省略可能として構成の簡略化及びローコスト化を図ることができる。
【００５０】
次に、当該デジタルビデオカメラ装置は、前記フレーム／フィールド変換回路１０において、メモリ８から読み出されたフレーム単位の撮像データを各フィールド単位の撮像データに変換して出力するのであるが、この際、各フィールドの撮像データを加算処理することなくそのまま出力する「非加算モード」と、各フィールドの撮像データを互いに１／２ずつ加算処理して出力する「（１／２＋１／２）加算モード」と、一方のフィールドの撮像データの３／４と他方のフィールドの撮像データの１／４とを加算処理して出力する「（３／４＋１／４）加算モード」との、計３つの出力モードが選択可能となっている。
【００５１】
非加算モードの周波数特性は、図５中実線で示すように各フィールドの撮像データがそれぞれ低域から高域にかけてフラットな特性を示すようになっており、（１／２＋１／２）加算モードの周波数特性は、同図中点線で示すように各フィールドの撮像データがそれぞれ低域から高域にかけて徐々に落ち込むような特性を示すようになっている。また、（３／４＋１／４）加算モードの周波数特性は、同図中一点鎖線で示すように前記非加算モードと（１／２＋１／２）加算モードの中間の特性を示すようになっている。このような出力モードは、ユーザが図１に示す変換特性選択回路１６を操作することで選択可能となっており、或いは撮像モード検出回路１３により検出された撮像モードに応じて、さらには飽和検出回路１５により検出された各フィールドの撮像データの飽和レベルに応じてそれぞれ選択可能となっている。制御回路１７は、変換特性選択回路１６により出力モードが選択された場合これを優先して、この他の場合は、前記撮像モード或いは飽和レベルに応じて最適な出力モードを選択するようにフレーム／フィールド変換回路１０を制御する。
【００５２】
ここで、前記飽和レベルの説明をすると、撮像部１に設けられているＣＣＤイメージセンサは、多光量の撮像光を受光すると各固体撮像素子が飽和状態となる。各固体撮像素子の感度特性はそれぞれ同じなのであるが、実際には感度特性の誤差等があり、これが原因で出力される各フィールドの撮像データのレベルに差異を生ずる。そして、画像表示を行った際にフリッカが発生する問題を生ずる。このようなことから、当該デジタルビデオカメラ装置は、飽和検出回路１５により各フィールドの撮像データの飽和レベルを検出するようになっており、この検出出力に応じて、前記出力モードの中から最適な出力モードを選択するようになっている。
【００５３】
次に、このフレーム／フィールド変換回路１０のうち、輝度データ用のフレーム／フィールド変換回路は、図６に示すように構成されており、偶数フィールド（ｅｖｅｎ）の輝度データが１水平ライン毎に入力端子３１を介して供給され、奇数フィールド（ｏｄｄ）の輝度データが１水平ライン毎に入力端子３２を介して供給されるようになっている。
以下、図６を説明するにあたって、撮像部１で撮像した１枚のフレーム画像データは偶数フィールド（ｅｖｅｎ）データと奇数フィールド（ｏｄｄ）データとからなり、１枚のフレーム画像データのデータ量を１の割合とすると、１枚のフレーム画像データのデータ量に対して偶数フィールドデータのデータ量及び奇数フィールドデータのデータ量はそれぞれ０．５の割合のデータ量となる。
そこで、以下の説明において、入力端子３１に入力される偶数フィールド（ｅｖｅｎ）の輝度データのデータ量と、入力端子３２に入力される奇数フィールド（ｏｄｄ）の輝度データのデータ量とは、１枚のフレーム画像データのデータ量に対してそれぞれ０．５の割合のデータ量であるとする。
そして、この実施例では、入力端子３１に入力される０．５の割合の偶数フィールド（ｅｖｅｎ）の輝度データと、入力端子３２に入力される０．５の割合の奇数フィールド（ｏｄｄ）の輝度データとをフィールド単位で切り換えて、偶数フィールド形成時の画像データと、奇数数フィールド形成時の画像データとをそのまま後述する出力端子４９をから出力する場合を「非加算モード」と呼称するものとする。
また、入力端子３１に入力される０．５の割合の偶数フィールド（ｅｖｅｎ）の輝度データと、入力端子３２に入力される０．５の割合の奇数フィールド（ｏｄｄ）の輝度データとをα：βの割合で加算処理した後に、偶数フィールド又は奇数フィールドと同じデータ量にして、偶数フィールド形成時の画像データと、奇数数フィールド形成時の画像データとを後述する出力端子４９から出力する際に、α，βが共に０．５の場合を「（１／２＋１／２）加算モード」と呼称し、α，βのいずれか一方が０．７５で他方が０．２５の場合を「（３／４＋１／４）加算モード」と呼称するものとする。
【００５４】
この図６において、まず、各フィールドの輝度データを加算処理することなくそのまま出力する「非加算モード」が実行される場合、制御回路１７は、選択端子４３ｃにより被選択端子４３ａが選択されるように切り換えスイッチ４３を切り換え制御し、選択端子３８ｃにより被選択端子３８ａが選択されるように切り換えスイッチ３８を切り換え制御し、選択端子４７ｃにより被選択端子４７ｂが選択されるように切り換えスイッチ４７を切り換え制御すると共に、選択端子４１ｃにより被選択端子４１ａが選択されるように切り換えスイッチ４１を切り換え制御する。そして、偶数フィールド形成時には、選択端子３７ｃにより被選択端子３７ａを選択するように、一方、奇数フィールド形成時には、選択端子３７ｃにより被選択端子３７ｂを選択するように、切り換えスイッチ３７を切り換え制御する。
【００５５】
これにより、「非加算モード」における偶数フィールド形成時には、入力端子３１を介して供給された偶数フィールドの輝度データが、切り換えスイッチ３７、３８、リミッタ３９、切り換えスイッチ４１を介して遅延回路４８に供給され、該遅延回路４８により例えば１水平ライン分の遅延処理が施され、切り換えスイッチ４７及び出力端子４９を介して前記記録系側に出力され、これをフィールド内の全ラインに亘って繰り返して「非加算モード」における偶数フィールド形成時の画像データを得ている。
また、「非加算モード」における奇数フィールド形成時には、入力端子３２を介して供給された奇数フィールドの輝度データが、切り換えスイッチ４３、３７、３８、リミッタ３９、切り換えスイッチ４１を介して遅延回路４８に供給され、該遅延回路４８により例えば１水平ライン分の遅延処理が施され、切り換えスイッチ４７及び出力端子４９を介して前記記録系側に出力され、これをフィールド内の全ラインに亘って繰り返して「非加算モード」における奇数フィールド形成時の画像データを得ている。なお、前述のようにこの「非加算モード」時の画像データの周波数特性は、図５の実線で示すようになっている。
【００５６】
次に、各フィールドの撮像データを互いに１／２ずつ加算処理して出力する「（１／２＋１／２）加算モード」が実行される場合、制御回路１７は、偶数フィールド形成時に選択端子４３ｃで被選択端子４３ａを選択し、奇数フィールド形成時に選択端子４３ｃで被選択端子４３ｂを選択するように切り換えスイッチ４３を切り換え制御し、更に、偶数フィールド形成時及び奇数偶数フィールド形成時に選択端子３８ｃにより被選択端子３８ｂを選択するように切り換えスイッチ３８を切り換え制御すると共に、ビットシフタ４０からの出力を選択すべく選択端子４１ｃで被選択端子４１ｂを選択するように切り換えスイッチ４１を切り換え制御する。
【００５７】
また、制御回路１７は、この各切り換え制御と共に、選択端子３５ｄにより被選択端子３５ｂが選択されるように切り換えスイッチ３５を切り換え制御し、選択端子４６ｄにより被選択端子４６ｂが選択されるように切り換えスイッチ４６を切り換え制御すると共に、偶数フィールド形成時には遅延回路４８からの輝度データを選択すべく選択端子４７ｃで被選択端子４７ｂを選択し、一方、奇数フィールド形成時には選択端子４７ｃで被選択端子４７ａを選択するように切り換えスイッチ４７を切り換え制御する。
【００５８】
これにより、「（１／２＋１／２）加算モード」における偶数フィールドの輝度データの形成時には、入力端子３１を介して供給される０．５の割合の偶数フィールドの輝度データが切り換えスイッチ３５を介して加算器３６に供給され、且つ、入力端子３２を介して供給される０．５の割合の奇数フィールドの輝度データが切り換えスイッチ４３、４６を介して加算器３６に供給される。加算器３６は、各切り換えスイッチ３５、４６からの各輝度データをそれぞれ加算処理することで１．０の割合の輝度データを形成し、これを切り換えスイッチ３８を介してビットシフタ４０に供給する。
【００５９】
ビットシフタ４０に供給される１．０の割合の輝度データは、０．５の割合の偶数フィールド及び０．５の割合の奇数フィールドの各輝度データが加算処理されたものであるため、レベル的に通常の２倍の輝度データとなっている。このため、ビットシフタ４０は、この輝度データを１ビット分シフトダウン処理することで、この２倍のレベルの輝度データを１／２のレベルとし通常の輝度データと同様に１のレベルとし、これを遅延回路４８に供給する。遅延回路４８は、このビットシフタ４０からの輝度データに対して例えば１水平ライン分の遅延処理を施すことで偶数フィールドのタイミングとし、これを切り換えスイッチ４７及び出力端子４９を介して前記記録系側に供給する。そして、これをフィールド内の全ラインに亘って繰り返して「（１／２＋１／２）加算モード」における偶数フィールド形成時の画像データを得ている。
【００６０】
一方、「（１／２＋１／２）加算モード」における奇数フィールドの輝度データの形成時には、入力端子３１を介して供給される０．５の割合の偶数フィールドの輝度データが切り換えスイッチ３５を介して加算器３６に供給され、且つ、入力端子３２を介して供給される０．５の割合の奇数フィールドの輝度データは、遅延回路４２により例えば１水平ライン分の遅延処理が施されることで前記入力端子３１を介して供給される偶数フィールドの輝度データとタイミングが合わされ、切り換えスイッチ４３、４６を介して加算器３６に供給される。加算器３６は、各切り換えスイッチ３５、４６からの各輝度データをそれぞれ加算処理することで１．０の割合の輝度データを形成し、これを切り換えスイッチ３８を介してビットシフタ４０に供給する。
【００６１】
ビットシフタ４０は、前述と同様に、供給される輝度データを１ビット分シフトダウン処理することで、前記２倍のレベルの輝度データを１／２のレベルとして通常の輝度データと同様に１のレベルとし、これを切り換えスイッチ４１、４７及び出力端子４９を介して前記記録系側に供給する。そして、これをフィールド内の全ラインに亘って繰り返して「（１／２＋１／２）加算モード」における奇数フィールド形成時の画像データを得ている。
【００６２】
これにより、「（１／２＋１／２）加算モード」における偶数フィールド形成時及び奇数フィールド形成時に、各フィールドの輝度データを互いに１／２ずつ加算処理することでＳ／Ｎ比を改善した画像データ（図５中の点線参照）を記録することができる。
【００６３】
次に、一方のフィールドの輝度データの３／４と他方のフィールドの輝度データの１／４とを加算処理して出力する「（３／４＋１／４）加算モード」が実行される場合、制御回路１７は、偶数フィールド形成時に選択端子４３ｃで被選択端子４３ａを選択するように切り換えスイッチ４３を切り換え制御し、後述するように０．７５の割合で偶数フィールドの輝度データを選択すべく選択端子３５ｄで被選択端子３５ａを選択するように切り換えスイッチ３５を切り換え制御し、且つ、後述するように０．２５の割合で奇数フィールドの輝度データを選択すべく選択端子４６ｄで被選択端子４６ｃを選択するように切り換えスイッチ４６を切り換え制御すると共に、遅延回路４８からの遅延出力を選択すべく、選択端子４７ｃで被選択端子４７ｂを選択するように切り換えスイッチ４７を切り換え制御する。
【００６４】
また、奇数フィールド形成時には選択端子４３ｃで被選択端子４３ｂを選択するように切り換えスイッチ４３を切り換え制御し、後述するように０．２５の割合で偶数フィールドの輝度データを選択すべく選択端子３５ｄで被選択端子３５ｃを選択するように切り換えスイッチ３５を切り換え制御し、且つ、後述するように０．７５の割合で奇数フィールドの輝度データを選択すべく選択端子４６ｄで被選択端子４６ａを選択するように切り換えスイッチ４６を切り換え制御すると共に、選択端子４７ｃで被選択端子４７ａを選択するように切り換えスイッチ４７を切り換え制御する。
【００６５】
また、偶数フィールド形成時及び奇数フィールド形成時のいずれの場合も、選択端子３８ｃで被選択端子３８ｂを選択するように切り換えスイッチ３８を切り換え制御すると共に、ビットシフタ４０からの出力を選択すべく、選択端子４１ｃで被選択端子４１ｂを選択するように切り換えスイッチ４１を切り換え制御する。
【００６６】
これにより、「（３／４＋１／４）加算モード」における偶数フィールドの輝度データの形成時には、入力端子３１を介して供給された偶数フィールドの輝度データが、加算器３４に供給されると共に、ビットシフタ３３に供給される。この偶数フィールドの輝度データは、０．５の割合の輝度データなのである。この０．５の割合の偶数フィールドの輝度データをビットシフタ３３により１ビット分シフトダウンすることにより０．２５の割合の輝度データを形成し、これを加算器３４及び切り換えスイッチ３５の被選択端子３５ｃに供給する。加算器３４は、前記入力端子３１を介して供給された前記０．５の割合の輝度データと、ビットシフタ３３からの０．２５の割合の輝度データとを加算処理することにより、０．７５の割合の偶数フィールドの輝度データを形成し、これを切り換えスイッチ３５の被選択端子３５ａに供給する。
【００６７】
同様に、「（３／４＋１／４）加算モード」における偶数フィールドの輝度データの形成時には、入力端子３２を介して供給される０．５の割合の奇数フィールドの輝度データが、遅延回路４２により１水平ライン分の遅延処理が施され、切り換えスイッチ４３を介してビットシフタ４４及び加算器４５に供給される。
【００６８】
ビットシフタ４４は、前述したビットシフタ３３と同様に０．５の割合の奇数フィールドの輝度データを１ビット分シフトダウンすることにより０．２５の割合の輝度データを形成し、これを切り換えスイッチ４６の被選択端子４６ｃに供給する。
【００６９】
前述のように、制御回路１７は、偶数フィールドの輝度データの形成時に、選択端子３５ｄにより被選択端子３５ａを選択するように切り換えスイッチ３５を切り換え制御すると共に、選択端子４６ｄにより被選択端子４６ｃを選択するように切り換えスイッチ４６を切り換え制御する。これにより、切り換えスイッチ３５を介して０．７５の割合の偶数フィールドの輝度データが、また、切り換えスイッチ４６を介して０．２５の割合の奇数フィールドの輝度データがそれぞれ加算器３６に供給される。加算器３６は、両者を加算することにより、通常の２倍のレベルを有する１の割合の輝度データを形成する。
【００７０】
この１の割合の輝度データは、切り換えスイッチ３８を介してビットシフタ４０に供給され、１ビット分シフトダウンされることで通常のレベルの偶数フィールド形成時の輝度データとされた後、この偶数フィールド形成時の輝度データが切り換えスイッチ４１を介して遅延回路４８に供給される。遅延回路４８は、この偶数フィールド形成時の輝度データに例えば１水平ライン分の遅延処理を施すことにより偶数フィールドのタイミングとし、これを切り換えスイッチ４７及び出力端子４９を介して前記記録系側に供給する。そして、これをフィールド内の全ラインに亘って繰り返して「（３／４＋１／４）加算モード」における偶数フィールド形成時の画像データを得ている。
【００７１】
また、制御回路１７は、奇数フィールドの輝度データの形成時に、選択端子３５ｄにより被選択端子３５ｃを選択するように切り換えスイッチ３５を切り換え制御すると共に、選択端子４６ｄにより被選択端子４６ａを選択するように切り換えスイッチ４６を切り換え制御する。
これにより、「（３／４＋１／４）加算モード」における奇数フィールドの輝度データの形成時には、入力端子３１を介して供給された０．５の割合の偶数フィールドの輝度データが、ビットシフタ３３により１ビット分シフトダウンされて０．２５の割合の輝度データとなり、切り換えスイッチ３５の被選択端子３５ｃと選択端子３５ｄとを介して加算器３６に供給される。
一方、入力端子３２を介して供給された０．５の割合の奇数フィールドの輝度データは、遅延回路４２により１水平ライン分の遅延が施されて、切り換えスイッチ３５を介してビットシフタ４４及び加算器４５に供給される。加算器４５は、前記入力端子３２を介して供給された０．５の割合の輝度データと、ビットシフタ４４からの０．２５の割合の輝度データとを加算処理することにより、０．７５の割合の奇数フィールドの輝度データを形成し、これを切り換えスイッチ４６の被選択端子４６ａと選択端子４６ｄを介して加算器３６に供給する。
従って、切り換えスイッチ３５を介して０．２５の割合の偶数フィールドの輝度データが、また、切り換えスイッチ４６を介して０．７５の割合の奇数フィールドの輝度データがそれぞれ加算器３６に供給される。加算器３６は、両者を加算することにより、通常の２倍のレベルを有する１の割合の輝度データを形成する。
【００７２】
この１の割合の輝度データは、切り換えスイッチ３８を介してビットシフタ４０に供給され、１ビット分シフトダウンされることで通常のレベルの奇数フィールド形成時の輝度データとされた後、この奇数フィールド形成時の輝度データが切り換えスイッチ４１、４７及び出力端子４９を介して前記記録系側に供給される。そして、これをフィールド内の全ラインに亘って繰り返して「（３／４＋１／４）加算モード」における奇数フィールド形成時の画像データを得ている。
【００７３】
これにより、「（３／４＋１／４）加算モード」における偶数フィールド形成時及び奇数フィールド形成時に、各フィールドの輝度データを、０．７５＋０．２５の割合、或いは０．２５＋０．７５の割合で加算処理することができ、垂直方向の解像度の劣化を防止すると共に、Ｓ／Ｎ比を改善した画像データ（図５中の一点鎖線参照）の記録を可能とすることができる。
【００７４】
なお、この「（３／４＋１／４）加算モード」において、偶数フィールドの輝度データの形成時には、前記０．７５の割合で偶数フィールドの輝度データを選択するように切り換えスイッチ３５を切り換え制御すると共に、０．２５の割合で奇数フィールドの輝度データを選択するように切り換えスイッチ４６を切り換え制御し、一方、奇数フィールドの輝度データの形成時には、前記０．２５の割合で偶数フィールドの輝度データを選択するように切り換えスイッチ３５を切り換え制御すると共に、０．７５の割合で奇数フィールドの輝度データを選択するように切り換えスイッチ４６を切り換え制御することとした。
【００７５】
しかし、この切り換え制御において、この他、偶数フィールドの輝度データの形成時には、前記０．２５の割合で偶数フィールドの輝度データを選択するように切り換えスイッチ３５を切り換え制御すると共に、０．７５の割合で奇数フィールドの輝度データを選択するように切り換えスイッチ４６を切り換え制御し、一方、奇数フィールドの輝度データの形成時には、前記０．７５の割合で偶数フィールドの輝度データを選択するように切り換えスイッチ３５を切り換え制御すると共に、０．２５の割合で奇数フィールドの輝度データを選択するように切り換えスイッチ４６を切り換え制御するようにしてもよい。
【００７６】
また、第１回目の偶数フィールドの輝度データの形成時には、０．７５の割合で偶数フィールドの輝度データを選択するように切り換えスイッチ３５を切り換え制御すると共に、０．２５の割合で奇数フィールドの輝度データを選択するように切り換えスイッチ４６を切り換え制御し、第２回目の偶数フィールドの輝度データの形成時には、０．２５の割合で偶数フィールドの輝度データを選択するように切り換えスイッチ３５を切り換え制御すると共に、０．７５の割合で奇数フィールドの輝度データを選択するように切り換えスイッチ４６を切り換え制御し、第３回目の偶数フィールドの輝度データの形成時には、０．７５の割合で偶数フィールドの輝度データを選択するように切り換えスイッチ３５を切り換え制御すると共に、０．２５の割合で奇数フィールドの輝度データを選択するように切り換えスイッチ４６を切り換え制御する等のように、同じ偶数フィールドの輝度データの形成時においても０．２５の割合で偶数フィールドの輝度データ及び０．７５の割合で偶数フィールドの輝度データを交互に選択するように切り換えスイッチ３５を切り換え制御するようにしてもよい。切り換えスイッチ４６の切り換え制御も同様である。
【００７７】
この場合、切り換えスイッチ４６は、切り換えスイッチ３５が０．７５の割合で偶数フィールドの輝度データを選択するように切り換え制御された際には、０．２５の割合で奇数フィールドの輝度データを選択するように切り換え制御され、また、切り換えスイッチ３５が０．２５の割合で偶数フィールドの輝度データを選択するように切り換え制御された際には、０．７５の割合で奇数フィールドの輝度データを選択するように切り換え制御される等のように、各切り換えスイッチ３５、４６からの輝度データが加算器３６で加算処理された際に、１の割合の輝度データが加算器３６で形成されるように切り換え制御されることとなる。
【００７８】
次に、以上の説明は、フレーム／フィールド変換回路１０のうち、輝度データ用のフレーム／フィールド変換回路の説明であったが、このフレーム／フィールド変換回路１０には、色データ用のフレーム／フィールド変換回路も設けられており、その構成は図７に示すようになっている。
【００７９】
なお、この図７からわかるように、この色データ用のフレーム／フィールド変換回路は、輝度データ用のフレーム／フィールド変換回路の入力段に分割回路５２を設けた構成となっている。このため、処理するデータとしては、輝度データと色データとの違いはあるが処理動作的には同じであるため、この色データ用のフレーム／フィールド変換回路の説明において、輝度データ用のフレーム／フィールド変換回路と同じ動作を示す箇所には同じ符号を付し、その詳細な説明を省略することとする。
【００８０】
すなわち、この色データ用のフレーム／フィールド変換回路は、前述の輝度データ用のフレーム／フィールド変換回路の構成に加え、色データが供給される入力端子５１と、この入力端子５１を介して供給された色データを２チャンネルの色データに分割する分割回路５２を有している。
【００８１】
このような色データ用のフレーム／フィールド変換回路は、入力端子５１を介して色データが供給されると、これを分割回路５２が色データを第１チャンネルの色データ及び第２チャンネルの色データに分割して出力する。
【００８２】
そして、「非加算モード」、「（１／２＋１／２）加算モード」、「（３／４＋１／４）加算モード」の際に、前述の輝度データ用のフレーム／フィールド変換回路と同様に各切り換えスイッチ３５、３７、３８、４１、４３、４６、４７がそれぞれ切り換え制御され、各モードに応じた色データが出力される。
【００８３】
すなわち、「非加算モード」において、偶数フィールド形成時には、分割回路５２からの第１チャンネルの色データが、切り換えスイッチ３７、３８を介してリミッタ３９に供給され所定のビット数とされた後、切り換えスイッチ４１を介して遅延回路４８に供給される。そして、この遅延回路４８により例えば１水平ライン分の遅延処理が施され、切り換えスイッチ４７及び出力端子４９を介して前記記録系側に供給される。
【００８４】
また、この「非加算モード」における奇数フィールド形成時には、分割回路５２からの第２チャンネルの色データが、切り換えスイッチ４３、３７、３８を介してリミッタ３９に供給され、このリミッタ３９により所定のビット数とされた後、切り換えスイッチ４１を介して遅延回路４８に供給される。そして、この遅延回路４８により例えば１水平ライン分の遅延処理が施され、切り換えスイッチ４７及び出力端子４９を介して前記記録系側に供給される。
【００８５】
これにより、「非加算モード」における偶数フィールド形成時及び奇数フィールド形成時に切り換えスイッチ３７により各フィールド毎に切り換え制御されたそのままの色データ（非加算の色データ）が記録系側に供給されることとなる。
【００８６】
次に、「（１／２＋１／２）加算モード」における偶数フィールド形成時には、第１チャンネルの色データが切り換えスイッチ３５を介して加算器３６に供給され、第２チャンネルの色データが切り換えスイッチ４３、４６を介して加算器３６に供給される。そして、加算器３６により各色データが加算処理され、切り換えスイッチ３８を介してビットシフタ４０に供給され、ビットシフタ４０により通常のレベルの偶数フィールド形成時の色データとされた後、この偶数フィールド形成時の色データが切り換えスイッチ４１を介して遅延回路４８に供給され、遅延回路４８で偶数フィールドのタイミングとされ、切り換えスイッチ４７及び出力端子４９を介して前記記録系側に供給される。
【００８７】
また、「（１／２＋１／２）加算モード」における奇数フィールド形成時には、第１チャンネルの色データが切り換えスイッチ３５を介して加算器３６に供給され、第２チャンネルの色データが遅延回路４２により第１チャンネルの色データとタイミングが合わされ、切り換えスイッチ４３、４６を介して加算器３６に供給される。そして、加算器３６により各色データが加算処理され、切り換えスイッチ３８を介してビットシフタ４０に供給され、ビットシフタ４０により通常のレベルの奇数フィールド形成時の色データとされた後、この奇数フィールド形成時の色データが切り換えスイッチ４１、４７及び出力端子４９を介して前記記録系側に供給される。
【００８８】
この「（１／２＋１／２）加算モード」においては、偶数フィールド形成時及び奇数フィールド形成時に各チャンネルの色データが、加算器３６により１／２（０．５）の割合で互いに加算処理されるため、色データのＳ／Ｎ比の向上を図ることができる。
【００８９】
次に、「（３／４＋１／４）加算モード」における偶数フィールド形成時には、第１チャンネルの色データがビットシフタ３３及び加算器３４により０．７５の割合の色データとされ加算器３６に供給され、第２チャンネルの色データがビットシフタ４４により０．２５の割合の色データとされ加算器３６に供給される。そして、両者が加算器３６において加算処理され、切り換えスイッチ３８を介してビットシフタ４０に供給され、ビットシフタ４０により通常のレベルの偶数フィールド形成時の色データとされた後、この偶数フィールド形成時の色データが切り換えスイッチ４１を介して遅延回路４８に供給され、遅延回路４８により偶数フィールドのタイミングとされ切り換えスイッチ４７及び出力端子４９を介して前記記録系側に供給される。
【００９０】
また、この「（３／４＋１／４）加算モード」における奇数フィールド形成時には、第１チャンネルの色データがビットシフタ３３により０．２５の割合の色データとされ加算器３６に供給され、第２チャンネルの色データが遅延回路４２により第１チャンネルの色データと同じタイミングとされ、ビットシフタ４４及び加算器４５により０．７５の割合の色データとされ加算器３６に供給される。そして、加算器３６において両者が加算処理され、切り換えスイッチ３８を介してビットシフタ４０に供給され、ビットシフタ４０により通常のレベルの奇数フィールド形成時の色データとされた後、この奇数フィールド形成時の色データが切り換えスイッチ４１、４７及び出力端子４９を介して前記記録系側に供給される。
【００９１】
この「（３／４＋１／４）加算モード」においては、偶数フィールド形成時及び奇数フィールド形成時に各フィールドの色データを、０．７５＋０．２５の割合、或いは０．２５＋０．７５の割合で加算処理することができ、加算後にビットシフタ４０により通常のレベルとされ、最終的には出力端子４９から出力される時に、垂直方向の解像度の劣化を防止すると共に、Ｓ／Ｎ比を改善した画像データの記録を可能とすることができる。
【００９２】
なお、この「（３／４＋１／４）加算モード」において、偶数フィールドの色データの形成時には、前記０．７５の割合で第１チャンネルの色データを選択するように切り換えスイッチ３５を切り換え制御すると共に、０．２５の割合で第２チャンネルの色データを選択するように切り換えスイッチ４６を切り換え制御し、一方、奇数フィールドの色データの形成時には、前記０．２５の割合で第１チャンネルの色データを選択するように切り換えスイッチ３５を切り換え制御すると共に、０．７５の割合で第２チャンネルの色データを選択するように切り換えスイッチ４６を切り換え制御することとした。
【００９３】
しかし、この切り換え制御において、この他、偶数フィールドの色データの形成時には、前記０．２５の割合で第１チャンネルの色データを選択するように切り換えスイッチ３５を切り換え制御すると共に、０．７５の割合で第２チャンネルの色データを選択するように切り換えスイッチ４６を切り換え制御し、一方、奇数フィールドの色データの形成時には、前記０．７５の割合で第１チャンネルの色データを選択するように切り換えスイッチ３５を切り換え制御すると共に、０．２５の割合で第２チャンネルの色データを選択するように切り換えスイッチ４６を切り換え制御するようにしてもよい。
【００９４】
また、第１回目の偶数フィールドの色データの形成時には、０．７５の割合で第１チャンネルの色データを選択するように切り換えスイッチ３５を切り換え制御すると共に、０．２５の割合で第２チャンネルの色データを選択するように切り換えスイッチ４６を切り換え制御し、第２回目の偶数フィールドの色データの形成時には、０．２５の割合で第１チャンネルの色データを選択するように切り換えスイッチ３５を切り換え制御すると共に、０．７５の割合で第２チャンネルの色データを選択するように切り換えスイッチ４６を切り換え制御し、第３回目の偶数フィールドの色データの形成時には、０．７５の割合で第１チャンネルのの色データを選択するように切り換えスイッチ３５を切り換え制御すると共に、０．２５の割合で第２チャンネルの色データを選択するように切り換えスイッチ４６を切り換え制御する等のように、同じ偶数フィールドの色データの形成時においても０．２５の割合で第１チャンネルの色データ及び０．７５の割合で第１チャンネルの色データを交互に選択するように切り換えスイッチ３５を切り換え制御するようにしてもよい。
【００９５】
この場合、切り換えスイッチ４６は、切り換えスイッチ３５が０．７５の割合で第１チャンネルの色データを選択するように切り換え制御された際には、０．２５の割合で第２チャンネルの色データを選択するように切り換え制御され、また、切り換えスイッチ３５が０．２５の割合で第１チャンネルの色データを選択するように切り換え制御された際には、０．７５の割合で第２チャンネルの色データを選択するように切り換え制御される等のように、各切り換えスイッチ３５、４６からの色データが加算器３６で加算処理された際に、１の割合の色データが加算器３６で形成されるように切り換え制御されることとなる。
【００９６】
このように、当該デジタルビデオカメラ装置は、例えばユーザの選択により、撮像モード検出回路１３により検出された撮像モードに応じて、或いは飽和検出回路１５により検出された各フィールドの撮像データの飽和レベルに応じて輝度データ及び色データの各出力モードをそれぞれ選択することができる。これにより、ユーザが所望する画像の表示を可能とする出力モードの選択を可能とすることができる。
【００９７】
なお、前述の説明では各輝度データ或いは各色データを、０．２５＋０．７５の割合で加算処理することとしたが、これは、０．３０＋０．７０の割合で加算処理し、或いは０．４０＋０．６０の割合で加算処理する等のように他の割合でそれぞれ加算処理するようにしてもよい。ただ、０．２５＋０．７５の割合で加算処理することとした場合、ビットシフタ３３、４４により１ビットシフトダウンするだけで０．２５の割合の輝度データ或いは色データを形成することができ、この０．２５の割合の輝度データ或いは色データと、０．５の割合の輝度データ或いは色データとを加算器３４、４５で加算処理することで０．７５の割合で輝度データ或いは色データを形成することができる。このため、ビットシフタと加算器という、簡単な回路により所定の割合で加算処理された輝度データ或いは色データを形成することができ、フレーム／フィールド変換回路１０の構成の簡略化及びローコスト化を図ることができる。
【００９８】
最後に、上述の実施の形態の説明では、本発明に係る画像出力装置及び画像出力プログラムを記憶した記憶媒体をデジタルビデオカメラ装置に適用して説明したが、これは本発明の一実施形態にすぎない。本発明は、この他、例えば記録系を持たないカメラ装置やコンピュータ装置の画像処理系等のように電気的に画像情報の取り扱いを行う装置であればどのような装置でも適用可能である。さらに、電気的な画像情報としては、デジタル的に取り扱う装置のみならず、アナログ的に取り扱う装置であってもよい。そして、以上説明した実施の形態以外であっても、本発明に係る技術的思想を逸脱しない範囲であれば、設計等に応じて種々の変更が可能であることは勿論である。
【００９９】
【発明の効果】
本発明に係る画像出力装置及び画像出力プログラムを記憶した記憶媒体によれば、とくに、１枚のフレーム画像を第１のフィールド情報及び第２のフィールド情報とに分割して出力する撮像部と、前記撮像部から出力される前記第１及び前記第２のフィールド情報が格納されるメモリから第１及び第２のフィールド情報を夫々独立して読み出した後に加算処理する加算処理部とを備え、非常に簡易な構成にてこの加算処理を実現させることで、画像情報の周波数特性及びＳ／Ｎ比を改善して、表示画像の画質の向上を図ることができる。
更に、第１のフィールド情報と第２のフィールド情報とを加算処理しない非加算モードを設けたり、前記第１のフィールド情報と前記第２のフィールド情報との飽和状態を検出し、その検出結果に応じて加算比率を変更することにより、解像度の低下やフリッカの発生を抑えつつ、撮像情報の状況に応じた適切な画像情報を出力できる。
【図面の簡単な説明】
【図１】本発明に係る画像出力装置及び画像出力プログラムを記憶した記憶媒体を適用した実施の形態のデジタルビデオカメラ装置の撮像系のブロック図である。
【図２】前記実施の形態のデジタルビデオカメラ装置の撮像系に設けられている輪郭補償回路のブロック図である。
【図３】前記輪郭補償回路が画像データの周波数帯域に対して輪郭補償処理を施す際に用いられる輪郭補償係数を説明するための周波数特性図である。
【図４】前記輪郭補償回路が画像データの周波数帯域に対して輪郭補償処理を施す際に用いられる輪郭補償係数のうち、高解像度モードの際に用いられる輪郭補償係数を説明するための周波数特性図である。
【図５】前記実施の形態のデジタルビデオカメラ装置の撮像系に設けられているフレーム／フィールド変換回路の出力特性を説明するための図である。
【図６】輝度データ用の前記フレーム／フィールド変換回路のブロック図である。
【図７】色データ用の前記フレーム／フィールド変換回路のブロック図である。
【符号の説明】
１…撮像部
２…自動利得制御回路（ＡＧＣ）
３…アナログ／デジタル変換器
４…ローパスフィルタ（ＬＰＦ）
５…ガンマ補正回路
６…輪郭補償回路
７…加算器
８…メモリ
９…電子ズーム回路
１０…フレーム／フィールド変換回路
１２…ズーム倍率検出回路
１３…撮像モード検出回路
１４…補償周波数帯域選択回路
１５…飽和検出回路
１６…変換特性選択回路
１７…制御回路
【図１】
0003770516.tif 000002
【図２】
0003770516.tif 000003
【図３】
0003770516.tif 000004
【図４】
0003770516.tif 000005
【図５】
0003770516.tif 000006
【図６】
0003770516.tif 000007
【図７】
0003770516.tif 000008